Podtech/llm-jp-corpus-v4-ja_patent huggingface dataset:
(57)【要約】【課題】クッションラバーに貼付された両面テープから容易に離型紙を剥がすことができるクッションラバーにおける両面テープの貼付構造を提供する。【解決手段】車両用の燃料タンクの外面に両面テープ２を介して取り付けられるクッションラバー１に関し、離型紙２Ｂを有した状態の両面テープ２をクッションラバー１の貼付面１Ａに貼付する構造であって、両面テープ２の端部は、この端部周りの離型紙２Ｂがその弾性力によって接着層２Ａから剥離するように、クッションラバー１の側面１Ｂまで折れ曲がって貼付されている構造とした。【選択図】図１
2007198449.tif 000002
【特許請求の範囲】
【請求項１】
車両用の燃料タンクの外面に両面テープを介して取り付けられるクッションラバーに関し、離型紙を有した状態の前記両面テープを前記クッションラバーの貼付面に貼付する構造であって、
前記両面テープの端部は、この端部周りの離型紙がその弾性力によって接着層から剥離するように、前記クッションラバーの側面まで折れ曲がって貼付されていることを特徴とするクッションラバーにおける両面テープの貼付構造。
【発明の詳細な説明】
【技術分野】
【０００１】
本発明は、車両用の燃料タンクの外面に両面接着テープ（以降、両面テープという）を介して取り付けられるクッションラバーに関し、離型紙を有した状態の両面テープを前記クッションラバーの貼付面に貼付する構造に関するものである。
【背景技術】
【０００２】
図２において、符号Ｔは車両に搭載される燃料タンクを示し、その外面には、車体側との振動等の干渉材として、複数のクッションラバー１が両面テープ２を介して取り付けられる。クッションラバー１は直方体形状を呈した部材であり、燃料タンクＴの外面に対向する面は、予め両面テープ２が貼付される貼付面１Ａを構成している。符号１Ｂは貼付面１Ａと直交する側面を示す。なお、図ではクッションラバー１に溝１Ｃが形成された場合を示している。
【０００３】
また、燃料タンクへのクッションラバーの取り付け構造に関する他の従来技術として、特許文献１に記載のものが挙げられる。この特許文献１には、接着剤を塗布してクッションラバーを燃料タンクに取り付ける技術が記載されている。
【特許文献１】実開平５−８９０６０号公報
【発明の開示】
【発明が解決しようとする課題】
【０００４】
図３は、図２に示したクッションラバー１の側面説明図であり、両面テープ２が貼付面１Ａの範囲内にのみ貼付された状態を示している。この場合、作業者がクッションラバー１を燃料タンクＴに貼り付けるべく、両面テープ２の離型紙２Ｂを剥がそうとしても、接着層２Ａ、離型紙２Ｂの各端部がそろっているために剥がしにくいという問題がある。特に、作業者が作業用手袋を装着している場合はなおさらであり、無理な力を加えると接着層２Ａが貼付面１Ａから剥がれるおそれもある。
【０００５】
本発明は、このような問題を解決するために創作されたものであり、クッションラバーに貼付された両面テープから容易に離型紙を剥がすことができるクッションラバーにおける両面テープの貼付構造を提供することを目的としている。
【課題を解決するための手段】
【０００６】
本発明は、前記課題を解決するため、車両用の燃料タンクの外面に両面テープを介して取り付けられるクッションラバーに関し、離型紙を有した状態の前記両面テープを前記クッションラバーの貼付面に貼付する構造であって、前記両面テープの端部は、この端部周りの離型紙がその弾性力によって接着層から剥離するように、前記クッションラバーの側面まで折れ曲がって貼付されていることを特徴とするクッションラバーにおける両面テープの貼付構造とした。
【０００７】
この貼付構造によれば、両面テープをクッションラバーに貼付した際、離型紙の端部がその弾性力によって接着層から剥離するので、作業者はこの剥離した離型紙の端部を容易につまむことができ、離型紙をスムースに剥がすことができる。
【発明の効果】
【０００８】
本発明によれば、クッションラバーを燃料タンクに取り付ける工程における作業効率が向上する。
【発明を実施するための最良の形態】
【０００９】
図１は、本発明に係るクッションラバーにおける両面テープの貼付構造を示す側面説明図である。クッションラバー１および両面テープ２の各基本構成は図３に示したものと同じであり、同一の符号を付してある。両面テープ２は、接着層２Ａおよび離型紙２Ｂを有した公知のものが適用される。
【００１０】
本発明は、両面テープ２をクッションラバー１の貼付面１Ａに貼付するに当たり、両面テープ２の端部を、この端部周りの離型紙２Ｂがその弾性力によって接着層２Ａから剥離するように、クッションラバー１の側面１Ｂまで折り曲げて貼付したことを主な特徴とするものである。
【００１１】
なお、側面１Ｂにおける両面テープ２の折り曲げ代を極端に長くした場合、離型紙２Ｂの弾性力がさほど作用せず、離型紙２Ｂの端部が剥離しない場合があるので、折り曲げ代の寸法決定には注意が必要である。
【００１２】
本発明によれば、両面テープ２をクッションラバー１に貼付した際、離型紙２Ｂの端部がその弾性力によって接着層２Ａから自然に剥離するので、作業者はこの剥離した離型紙２Ｂの端部を容易につまむことができ、離型紙２Ｂをスムースに剥がすことができる。
【００１３】
なお、離型紙２Ｂの剥がす前の段階で、側面１Ｂにおける接着層２Ａは常に露出していることになり、その部分の接着力が劣化しやすい状態となるが、この部分は燃料タンクＴ（図２）との接着には関係のない箇所であり、何ら問題はない。
【００１４】
以上、本発明について好適な実施形態を説明した。本発明は、図面に記載したものに限られず、その趣旨を逸脱しない範囲内で適宜に設計変更が可能である。
【図面の簡単な説明】
【００１５】
【図１】本発明に係るクッションラバーにおける両面テープの貼付構造を示す側面説明図である。
【図２】燃料タンクおよびクッションラバーの外観斜視図である。
【図３】従来のクッションラバーにおける両面テープの貼付構造を示す側面説明図である。
【符号の説明】
【００１６】
１      クッションラバー
１Ａ    貼付面
１Ｂ    側面
２      両面テープ
２Ａ    接着層
２Ｂ    離型紙
Ｔ      燃料タンク
【図１】
2007198449.tif 000003
【図２】
2007198449.tif 000004
【図３】
2007198449.tif 000005
(57)【要約】【課題】歯車装置の円錐ころ軸受の温度上昇に伴う膨張を軸受支持装置が吸収することができ、予め軸受の隙間をなくして装置を組み立てることが可能とする軸受支持装置を提供する。【解決手段】円錐ころ軸受の外輪を円錐嵌めあい部品の雄側の部品が内包して支持し、それに相対する雌側の部品を、その一部で歯車箱に支え、かつ円周上一箇所で切断してC形の弾性リングとし、その嵌めあい面に潤滑油を介在させて、そのC形リングが半径方向に有する弾性力をその円錐部の角度を適当に設定することにより、その雄部品を軸方向に弾性支持させた。本構造によれば、軸受の温度上昇に伴う膨張を適当に吸収することを可能とする軸受支持装置が、構造簡単で狭小スペースに構成する事が可能となる。【選択図】図１
2007198447.tif 000002
【特許請求の範囲】
【請求項１】
円錐ころ軸受において、該円錐ころ軸受の外輪を円錐嵌めあい部品の雄側部品が内包して支持し、該円錐嵌めあい部品に相対する雌側部品を円周上一箇所で切断してC形の弾性リングとして該C形の弾性リング一部で歯車箱に支え、かつ前記C形の弾性リング嵌めあい面に潤滑油を介在させて、前記C形の弾性リングが半径方向に有する弾性力を前記C形の弾性リングの円錐部の角度を適当に設定することにより、前記雄側部品を軸方向に弾性支持させた軸受支持構造を有することを特徴とする歯車装置。
【請求項２】
請求項１において軸受の外輪を軸受の内輪と読み替えた歯車装置。
【発明の詳細な説明】
【技術分野】
【０００１】
本発明は、鉄道車両用の歯車装置に関するものである。
【背景技術】
【０００２】
鉄道車両用歯車装置は、一般に円錐ころ軸受を使用して軸を支持する構造が多い。ここで軸受は運転状態で温度上昇して膨張するので、軸受が適当に回転を維持するために隙間が必要であり、経験上適当な値が決められている。（たとえば、特許文献参照）
【０００３】
しかし、その隙間は軸の振動を発生させ歯車装置の騒音を増大させるという傾向があった。
【０００４】
高速車両の用途において、この点は改善すべき課題となっていた。
【０００５】
この改善策として、軸受の温度上昇に伴う膨張を軸受支持装置が吸収することができれば、予め軸受の隙間をなくして装置を組み立てることができるが、経済上・スペース上の余裕がなかった。
図１はこの方法による軸受支持装置を示すための説明図であって、歯車装置を小歯車と大歯車の中心で切った断面図である。
２は雌部品９と蓋５の構成を示す斜視図である。
【特許文献１】特開平１１−２３１５号公報４
【発明の開示】
【発明が解決しようとする課題】
【０００６】
この改善策として、軸受の温度上昇に伴う膨張を適当に吸収することを可能とする軸受支持装置が、構造簡単で狭小スペースに構成する事が求められていた。
【課題を解決するための手段】
【０００７】
請求項１の発明によれば、円錐ころ軸受において、該円錐ころ軸受の外輪を円錐嵌めあい部品の雄側部品が内包して支持し、該円錐嵌めあい部品に相対する雌側部品を円周上一箇所で切断してC形の弾性リングとして該C形の弾性リング一部で歯車箱に支え、かつ前記C形の弾性リング嵌めあい面に潤滑油を介在させて、前記C形の弾性リングが半径方向に有する弾性力を前記C形の弾性リングの円錐部の角度を適当に設定することにより、前記雄側部品を軸方向に弾性支持させた軸受支持構造を有することを特徴とする。
請求項２の発明によれば、請求項１において軸受の外輪を軸受の内輪と読み替えたことを特徴とする。
【発明の効果】
【０００８】
本発明の軸受支持装置は、歯車装置運転中に軸受の温度が上昇した際、軸受は膨張するが、この際、雌側の円錐嵌めあい部品は弾性的にC形リングが開くので、雄側の円錐嵌めあい部品を円錐の奥に引き入れ、軸受の膨張を軸方向に吸収できるという利点がある。
さらに、軸受の温度上昇に伴う膨張を適当に吸収することを可能とする軸受支持装置が、構造簡単で狭小スペースに構成する事が可能となる。
【発明を実施するための最良の形態】
【０００９】
軸受の膨張を軸方向で吸収するという目的を、最小の部品点数で、従来の構成部品と同等のスペース内に実現した。
【実施例１】
【００１０】
図１は、本発明装置の１実施例の断面図である。小歯車１は軸受２、３、および蓋４、５を介して歯車箱６に支持され大歯車７に動力を伝達する。ここで軸受２、３は円錐ころ軸受を示す。軸受２と蓋５の間に、軸受２の外輪を内包し、雄部品８と互いに円錐嵌めあい部を有する雌部品９に内包される形で、雄部品８が配置される。雌部品９はその一部を蓋５に支持される。図２は雌部品９と蓋５の構成を示す斜視図である。雌部品９は円周上一箇所で切断され、C形をなし、その切断部と対象の位置で蓋５と結合されている。
また、実施例１は軸受の外輪についての実施例であるが、外輪を内輪に読み替えても実施例となる。
【産業上の利用可能性】
【００１１】
高速鉄道車両用歯車装置の用途において、円錐ころ軸受を用いて構造簡単に振動・騒音の少ない歯車装置を提供することができる。
【図面の簡単な説明】
【００１２】
【図１】本発明装置の１実施例を示す断面図である。（実施例１）
【図２】図２は雌部品９と蓋５の構成を示す斜視図である。
【図３】図３は従来の実施例を示す断面図である。
【符号の説明】
【００１３】
１． 小歯車
２． 軸受
３． 軸受
４． 蓋
５． 蓋
5’   蓋
６． 歯車箱
７． 大歯車
８． 雄部品
９． 雌部品
【図１】
2007198447.tif 000003
【図２】
2007198447.tif 000004
【図３】
2007198447.tif 000005
(57)【要約】【課題】荷重の大きい範囲に位置するころに作用する転動体荷重を軽減して、早期損傷を防ぐこと。【解決手段】フラット軸受１は、互いに積層配置された一対の軌道板１０ａ，１０ｂと、各軌道板１０ａ，１０ｂ間に介装された多数の転動体であるころ１１と、各ころ１１を収容するポケット１５が多数設けられた板状の保持器１２と、この保持器１２を案内する外側案内手段および内側案内手段としての外側鍔部１３ａおよび旋回案内ピン１３ｂと、を備えている。軸受が受けるスラスト荷重がＡの範囲で特に強い場合、その下を運動するころ１１の配列は、密に設定してある。従って、荷重の大きい範囲（Ａ）に位置するころ１１に作用する転動体荷重を軽減して、早期損傷を防ぐことができる。【選択図】図１
2007198500.tif 000002
【特許請求の範囲】
【請求項１】
互いに積層配置された一対の軌道板の間に、転動体のころを転動自在に介装したフラット軸受に於いて、
荷重が大きい範囲に位置する前記ころの配列は、密に設定してあることを特徴とするフラット軸受。
【請求項２】
前記各ころを個別に収容するポケットが多数設けられた板状の保持器を備えていることを特徴とする請求項１に記載のフラット軸受。
【請求項３】
前記保持器を案内する外側案内手段および内側案内手段としての外側鍔部および旋回案内ピンを備えていることを特徴とする請求項２に記載のフラット軸受。
【発明の詳細な説明】
【技術分野】
【０００１】
本発明は、鉄鋼設備等で使用されるフラット軸受の改良に関する。
【背景技術】
【０００２】
フラット軸受は、互いに積層配置された一対の軌道板と、各軌道板間に介装された多数の転動体であるころと、各ころを収容するポケットが多数設けられた板状の保持器と、この保持器を案内する外側案内手段および内側案内手段としての外側鍔部および旋回案内ピンと、を備えている。
【０００３】
このフラット軸受は、各軌道板の積層方向に対して平行な回動軸線を中心として、各軌道板が相対的にスラスト回動する。
【０００４】
保持器は、回動方向外側端面が回動軸線に対する同心円に沿った凸状円弧面とされ、回動方向内側端面が回動軸線に対する同心円に沿った凹状円弧面とされた平面略扇形状となっている。
【０００５】
そして、このような保持器を案内するために、下側の軌道板に固定された外側鍔部は、凸状円弧面に対して面摺接可能な摺接面を有している。
【０００６】
このようなフラット軸受は、保持器の凸状円弧面および凹状円弧面を、それぞれ、外側鍔部および旋回案内ピンの摺接面に摺接させながら、各軌道面が相対的にスラスト回動する。なお、このフラット軸受１の用途は、小さな角度で反復して回動するものが主である。
【特許文献１】特開平６−３３９３６号公報
【特許文献２】特開２００４−８４７２０号公報
【特許文献３】特開２００５−３０５１４号公報
【発明の開示】
【発明が解決しようとする課題】
【０００７】
しかしながら、フラット軸受に加わるスラスト荷重は、等分布荷重でないことが多く、揺動運動をするので、荷重の大きい範囲に位置するころが、大きな転動体荷重を受ける為に、早期損傷が生じることがある。
【０００８】
本発明は、上述したような事情に鑑みてなされたものであって、荷重の大きい範囲に位置するころに作用する転動体荷重を軽減して、早期損傷を防ぐことができる、フラット軸受を提供することを目的とする。
【課題を解決するための手段】
【０００９】
上記の目的を達成するため、本発明に係るフラット軸受は、互いに積層配置された一対の軌道板の間に、転動体のころを転動自在に介装したフラット軸受に於いて、
荷重が大きい範囲に位置する前記ころの配列は、密に設定してあることを特徴とする。
【００１０】
好適には、前記各ころを個別に収容するポケットが多数設けられた板状の保持器を備えている。
【００１１】
また、好適には、前記保持器を案内する外側案内手段および内側案内手段としての外側鍔部および旋回案内ピンを備えている。
【発明の効果】
【００１２】
本発明によれば、荷重の大きい範囲に位置するころに作用する転動体荷重を軽減して、早期損傷を防ぐことができる。
【発明を実施するための最良の形態】
【００１３】
以下、本発明の実施の形態に係るフラット軸受を図面を参照しつつ説明する。
【００１４】
（第１実施の形態）
図１は、本発明の第１実施の形態に係るフラット軸受を示す図である。
【００１５】
フラット軸受１は、互いに積層配置された一対の軌道板１０ａ，１０ｂと、各軌道板１０ａ，１０ｂ間に介装された多数の転動体であるころ１１と、各ころ１１を収容するポケット１５が多数設けられた板状の保持器１２と、この保持器１２を案内する外側案内手段および内側案内手段としての外側鍔部１３ａおよび旋回案内ピン１３ｂと、を備えている。
【００１６】
このフラット軸受１は、各軌道板１０ａ，１０ｂの積層方向に対して平行な回動軸線を中心として、各軌道板１０ａ，１０ｂが相対的にスラスト回動する。
【００１７】
保持器１２は、回動方向外側端面が回動軸線に対する同心円に沿った凸状円弧面１２ａとされ、回動方向内側端面が回動軸線に対する同心円に沿った凹状円弧面１２ｂとされた平面略扇形状となっている。
【００１８】
そして、このような保持器１２を案内するために、下側の軌道板１０ｂに固定された外側鍔部１３ａは、凸状円弧面１２ａに対して面摺接可能な摺接面を有している。
【００１９】
このようなフラット軸受１は、保持器１２の凸状円弧面１２ａおよび凹状円弧面１２ｂを、それぞれ、外側鍔部１３ａおよび旋回案内ピン１３ｂの摺接面に摺接させながら、各軌道面が相対的にスラスト回動する。なお、このフラット軸受１の用途は、小さな角度で反復して回動するものが主である。
【００２０】
さて、本実施の形態では、軸受が受けるスラスト荷重がＡの範囲で特に強い場合、その下を運動するころ１１の配列は、密に設定してある。
【００２１】
従って、荷重の大きい範囲（Ａ）に位置するころ１１に作用する転動体荷重を軽減して、早期損傷を防ぐことができる。
【００２２】
（第２実施の形態）
図２は、本発明の第２実施の形態に係るフラット軸受を示す図である。
【００２３】
本実施の形態は、上述した実施の形態と同様の構成であり、その相違する点について説明する。
【００２４】
本実施の形態では、軸受が受けるスラスト荷重がＢの範囲で特に強い場合、その下を運動するころ１１の配列は、密に設定してある。
【００２５】
従って、荷重の大きい範囲（Ｂ）に位置するころ１１に作用する転動体荷重を軽減して、早期損傷を防ぐことができる。
【００２６】
なお、本発明は、上述した実施の形態に限定されず、種々変形可能である。
【図面の簡単な説明】
【００２７】
【図１】本発明の第１実施の形態に係るフラット軸受を示す図である。
【図２】本発明の第２実施の形態に係るフラット軸受を示す図である。
【符号の説明】
【００２８】
１  フラット軸受
１０ａ，１０ｂ  軌道板
１１  ころ
１２  保持器
１２ａ  凸状円弧面
１２ｂ  凹状円弧面
１３ａ  外側鍔部
１３ｂ  旋回案内ピン
１５  ポケット
【図１】
2007198500.tif 000003
【図２】
2007198500.tif 000004
(57)【要約】【目的】  洗濯物を効率的に乾燥する手段を提供するものである。【構成】  洗面脱衣室１と繋がる乾燥室２を設け、乾燥室２の外壁３に通気のための窓４を設けると共に外壁５に日光が差す窓６を設けることで洗濯物を一時的に乾燥する様にする。【選択図】図１
2007198102.tif 000002
【特許請求の範囲】
【請求項１】
洗面脱衣室１と繋がる乾燥室２を設け、乾燥室２の外壁３に通気のための窓４を設けると共に外壁５に日光が差す窓６を設けることで洗濯物を一時的に乾燥する様にした乾燥室。
【請求項２】
洗面脱衣室１と繋がる乾燥室２を設け、乾燥室２の外壁３に通気のための窓４を設けると共に外壁５に日光が差す窓６を設けることで洗濯物を一時的に乾燥する様にした乾燥室であって、乾燥室２の外壁３に扉１５を設け、扉１５を介して乾燥室２と繋がる軒下ベランダ１６を設けることを特徴とする乾燥室。
【発明の詳細な説明】
【発明の詳細な説明】
【技術分野】
【０００１】  本発明は洗面脱衣室と連携する洗濯物乾燥室に関するものである。
【背景技術】
【０００２】  洗面脱衣室に設置される洗濯機で仕上げられた洗濯物は屋外や階上のベランダ等で干されるが、状況によりリビングや洗面脱衣室等の室内で干される。
【発明が解決しようとする課題】
【０００３】  洗濯物を屋外やベランダ等で干す場合は洗濯機が置かれる洗面脱衣室から干す場所までの洗濯物の運搬労苦が伴う。加えて、運搬する洗濯物は脱水処理が為されてはいるが水分は含有されるために重量が嵩むことも長距離の運搬では懸念されるところである。又、天候不順等で洗濯物を室内で干す場合は洗濯物が室内の湿度を高めてしまうために部屋の快適性が損なわれる。そのためにエアコンや除湿器が使用されるがランニングコストや騒音等の負担が生じる。加えて、干される洗濯物に目が触れるのも不快である。本発明はこの懸念事項を解決し、洗濯物の効率的な乾燥手段を提供するものである。
【課題を解決するための手段】
【０００４】  洗面脱衣室１と繋がる乾燥室２を設け、乾燥室２の外壁３に通気のための窓４を設けると共に外壁５に日光が差す窓６を設けることで洗濯物を一時的に乾燥する様にする。
【発明を実施するための最良の形態】
【０００５】  図１に示すものは洗面脱衣室１周辺の間取り図である。洗面脱衣室１と繋がる位置に乾燥室２を設置し、乾燥室２の外壁３に通気のための窓４を設けるが、窓４は乾燥室２内の２箇所に間隔をおいて設置することで通気性を高める。又、窓４は面格子７が至近に位置するために引き違い窓が適切である。更に、乾燥室２の外壁５に日光が差す窓６を設ける。つまり、住宅の南側間取りはリビング８等に割り振られるが、その南側間取りの一角を乾燥室２が占有し、南側の外壁５に日光が差す窓６を設けることになる。なお、窓６は採光が目的であるために窓６を開閉式の窓とするか否かは問わない。この様な乾燥室２を構成し、洗面脱衣室１に置かれる洗濯機９で仕上げられた洗濯物を干すために洗面脱衣室１と繋がる乾燥室２へ洗濯物を運搬し、洗濯物をハンガーに固定し、このハンガーをポール１０に吊るす。このポール１０は洗濯物であるシーツ類を干すことにも使用される。２箇所に設けた窓４を開放することで通気性が高まり洗濯物からの湿気は排除されるが、日光が差す窓６により洗濯物の乾燥は促進される。なお、窓６に対応する面格子１１を設ける。又、洗面脱衣室１と乾燥室２とに介する扉１２により洗濯物からの湿気が洗面脱衣室１に漏れることは無い。なお、乾燥室２は一時的に乾燥を行う場所と位置付けをし、その後に洗濯物は屋外やベランダ等で最終的に乾燥される手順を踏むものと定義するが、その一方、乾燥室２での乾燥により完了とするかの判断はユーザーの意向に委ねる処である。
【実施例】
【０００６】  又、必要に応じて乾燥室２とリビング８との境界の壁１３に窓１４を設け、生活空間であるリビング８内に採光が為される様にする。なお、窓１４に挟むガラス板は曇りガラス類を採用して乾燥室２内の様子が見渡せない様にする。又、開閉式の窓１４を選定する場合は乾燥室２内の湿気が残留しない時間帯に窓１４を開放する等の配慮が必要である。
又、図２に示すものは乾燥室２周辺の間取り図であり、乾燥室２の外壁３に扉１５を設け、扉１５を介して乾燥室２と繋がる軒下ベランダ１６を設けるものである。つまり、乾燥室２における一時的な乾燥後に洗濯物は乾燥室２と繋がる軒下ベランダ１６で最終的に干されることになるが、乾燥室２と軒下ベランダ１６との往来は扉１５を介して行う。又、軒下ベランダ１６の軒下にポール１７を設けることでハンガーを吊る他、洗濯物を固定しての乾燥に使用されるが、シーツ類の乾燥にはポール１７の他に軒下ベランダ１６の外周に設ける柵１８の類いの囲いを活用する。
【発明の効果】
【０００７】  （イ）  洗濯機９が置かれる洗面脱衣室１と繋がる位置に乾燥室２が設置されるために洗濯物の運搬距離を短く設定できる。
（ロ）  洗濯物は乾燥室２で干されるために例えばリビング等で干されることでそれら生活空間の環境に影響を及ぼすことは無い。因にここで記す影響とは部屋の湿度を上昇させる、或いは、干される洗濯物により着臭する、及び、美観が損なわれる等である。
（ハ）  窓４による通気性と窓６による採光性が相俟って効率的な洗濯物の乾燥が可能である。なお、窓４による通気性は窓４を２箇所に設けることで通気性を高め、又、窓６による採光性は日光が差す採光により採光性を高める。
（ニ）  （ハ）の事項により効率的な乾燥が可能であるため特段にエアコン等の機材は不要であり、経済的である。
（ホ）  乾燥室２においてある程度乾燥した洗濯物は軽量化されることで別の場所で再度干し直す場合もその場所までの運搬作業が容易である。
（ヘ）  乾燥室２と繋がる軒下ベランダ１６を使用することにより最終的な乾燥も能率良く行うことができる。又、洗濯作業の合間の休息のために軒下ベランダ１６が利用できる。
（ト）  乾燥室２により効率的な乾燥が可能であることに加えて、部屋内での乾燥であるために洗濯物が風雨に晒されることは無い。
（チ）  窓４に対応する面格子７や窓６に対応する面格子１１を設けると共に扉１２を施錠することで乾燥室２においての防犯体制を図る。なお、扉１５は外壁３に設けるものであるから常に施錠を心掛ける必要がある。
【図面の簡単な説明】
【図１】  本発明の構成を示す洗面脱衣室１周辺の間取り図
【図２】  実施例を示す乾燥室２周辺の間取り図
【符号の説明】
１  洗面脱衣室          ２  乾燥室              ３  外壁
４  窓                  ５  外壁                ６  窓
７  面格子              ８  リビング            ９  洗濯機
１０  ポール            １１  面格子            １２  扉
１３  壁                １４  窓                １５  扉
１６  軒下ベランダ      １７  ポール            １８  柵
【図１】
2007198102.tif 000003
【図２】
2007198102.tif 000004
(57)【要約】      （修正有）【課題】取り扱いやすく、採光やデザインなどに優れた障子であるが、その断熱性が小さいので、これを改善する。【解決手段】従来、外側（室外側）平面３にしか張られていなかった紙を、内側（室内側）平面４にも張り紙を二重張りとすることで断熱効果の増大をはかった障子。また障子枠の持つ骨組みの美しさを、造形美を再現できるように、二重張りする内側の紙を透明なものにする。【選択図】図３
2007198107.tif 000002
【特許請求の範囲】
【請求項１】
従来の障子枠の内側（室内側）に、障子の骨と同一平面になるように  のりしろ部分１を削り込み、またはのりしろ部分を増設することにより、内側（室内側）にも障子紙を張ることで二重張りとした障子。
【請求項２】
障子枠の持つ骨組みの美しさを、造形美を再現できるように、二重張りする内側の紙を透明なものにする。または別に骨組だけをはめ込みにする。または、紙を張った着脱可能な骨組みを内側から装着するなどした二重張り障子
【発明の詳細な説明】
【技術分野】
【００１】  本発明は、従来の障子が外側（室外側）に一枚の障子紙しか張られて無く、断熱効果が小さいのを、室内側にも紙を張り二重張りとして断熱効果を高めようとしたものである。
【背景技術】
【００２】  従来は、紙を内外二重張りにした障子はなかった。【００３】
【特許文献】該当なし
【発明の開示】
【発明が解決しようとする課題】
【００４】障子は、軽くて扱いやすくしかもその採光は穏やかで優しいという、優れた家具であるが障子紙一枚であるから、その断熱効果は小さい。断熱効果を高めようと紙を厚くすれば重くなり、透過光が暗くなり障子の長所をなくしてしまうことになる。
【課題を解決するための手段】
【００５】軽さや採光などの長所をなくさず、断熱効果を高めるために、従来、骨組のさん（枠）だけが見えていた内側（室内側）の骨組平面４にも障子紙を張り  内外二重張りとするのである。なお二重張りにするために障子枠の内側には、のりしろにあたる部分１を削り出すか、増設する。あるいは紙を張った着脱可能な内枠を用意する。
【発明の効果】
【００６】障子の骨を挟んで二重に張られた紙と骨とに囲まれた各小空間５には、結果的に絶妙な量の空気が封じ込まれたことになりしかも、それぞれは分離・独立・隔離された形の空気袋を意味することになり、障子全体として理想的な断熱壁を形成することになる。分離独立した形の各空気袋部分内部は、熱対流運動も小さいので断熱効果はさらに増し、熱エネルギーの消失は小さく結果として省エネルギー効果は絶大になる。
【実施例】
【００７】従来の障子枠の内側（室内側）は図２のようにのりしろ部分がないので、骨組みと同じ平面を持つのりしろ部分１を削り出すか、増設して二重張りできるようにする。
【図面の簡単な説明】
【００８】
【図１】外周枠６を削り込み、のりしろ部分１を持つようにした障子枠の斜視図
【図２】従来の障子の内側の枠部分の斜視図である
【図３】骨の外側平面３と内側平面４とに二重張りした障子紙と、骨組２とで囲まれて形成される空間５（空気袋となる）の斜視図
【符号の説明】
【００９】１  削りだしたのりしろ部分２  骨組み３  外側の紙を張る骨平面４  内側の紙を張る骨平面５  内外二重張りの紙と骨組によって形成される空間（空気袋）６  障子の外周枠
【図１】
2007198107.tif 000003
【図２】
2007198107.tif 000004
【図３】
2007198107.tif 000005
(57)【要約】【課題】  従来の浴室洗い場の排水口は、清掃作業がしにくい問題があった。毛髪と皮脂汚れを含んだ石鹸かすが堆積してふさがり排水を詰まらせ、その堆積物は平形ヘアキャッチャーにへばりつき除去作業は困難であり不快だからである。【解決手段】  漏斗型封水筒に設置する深型ヘアキャッチャー内に渦巻き水流を発生させる様に、深型ヘアキャッチャーの下部位置又は上部位置に水向案内部を設けた排水口とした。この作用により皮脂汚れを含んだ石鹸かすは汚水と共に効果的に排出でき、毛髪はまとめることができる。【選択図】  図１
2007198130.tif 000002
【特許請求の範囲】
【請求項１】
漏斗型封水筒に設置する深型ヘアキャッチャー内に渦巻き水流を発生させる様に、深型ヘアキャッチャーの下部位置又は上部位置に水向案内部を設けた排水口。
【発明の詳細な説明】
【技術分野】
【０００１】
本発明は、排水部の清掃作業の利便性の向上を図った渦巻き排水口に関する。
【背景技術】
【０００２】
従来の例えば浴室洗い場の排水口には、平形目皿あるいは中央部分が上方に突出した平形ヘアキャッチャーが設置される。
【０００３】
かご状のヘアキャッチャーを、バスタブからの排水渦流を利用して清掃しやすくした例も示されている。（特許文献１参照）。
【０００４】
【特許文献１】特許第３８８６０５５号広報
【発明の開示】
【発明が解決しようとする課題】
【０００５】
従来の浴室洗い場の排水口は、清掃作業がしにくい問題があった。平形目皿や平形ヘアキャッチャーは毛髪と皮脂汚れを含んだ石鹸かすが堆積してふさがり排水を詰まらせる。堆積物はへばりつき除去作業は困難であり不快である。
【０００６】
本発明は、皮脂汚れを含んだ石鹸かすは汚水と共に効果的に排出して排水の詰まりを防ぎ、毛髪はヘアキャッチャー内にまとめる様にすることで、清掃作業の利便性の向上の実現を目的とする。
【課題を解決するための手段】
【０００７】
本発明は上記目的を達成するために漏斗型封水筒に設置する深型ヘアキャッチャー内に渦巻き水流を発生させる様に、深型ヘアキャッチャーの下部位置又は上部位置に水向案内部を設けた排水口とした物である。水向案内部は凸状の板形あるいは凹状の溝型とすることができる。
【０００８】
作用としては、排水溝内に落水した汚水は水向案内部により案内され通過した後、右回転で進行して漏斗型封水筒と深型ヘアキャッチャーの隙間空間で右回転の渦巻き水流を発生させる。漏斗型封水筒の排水穴の大きさを調節することで、汚水は瞬時に排水されずに一定時間留まるので深型ヘアキャッチャー内にも右回転の渦巻き水流が発生する。この作用により皮脂汚れを含んだ石鹸かすは排出され毛髪はまとまる。
【発明の効果】
【０００９】
上述した様に本発明の渦巻き排水口は、深型ヘアキャッチャー内の毛髪と皮脂汚れを含んだ石鹸かすを運動させて固定化させず堆積しないので排水を詰まらせない。皮脂汚れを含んだ石鹸かすは汚水と共に効果的に排出でき、毛髪はヘアキャッチャー内にまとめることができる。本発明は排水部の清掃作業の利便性を向上させる効果がある。尚、本発明は台所流し台の排水口としても使用可能である。
【発明を実施するための最良の形態】
【００１０】
本発明の実施の形態を図１〜図４に基づいて説明する。図１において１は深型ヘアキャッチャーである。形状は外周部分が水平に近く中央部分が窪んだハット型等が好ましい。２は漏斗型封水筒で水向案内部３が形成される。水向案内部３の形成位置は下部排水穴より５割から８割程度の高さで良い。４は排水量調節部品であり渦巻き水流を瞬時に排水させずに一定時間留める役目を担う。漏斗型封水筒２の穴径を有効に設定した場合は排水量調節部品４は必要ない。
【００１１】
作用を説明する。上部位置の深型ヘアキャッチャー１の外周付近から落水した汚水は、漏斗型封水筒２に右下方向に傾斜して形成される水向案内部３により案内され右下方向に進行して右回転の渦巻き水流となる。中央付近に落水した汚水は渦巻き水流に合流して一体の渦巻き水流となる。この作用により深型ヘアキャッチャー１の内部にも右回転の渦巻き水流を発生させることができる。この時漏斗型封水筒２の穴径が大きい場合瞬時に排水されるので、一定時間留まる様に穴径を設定する必要がある。水向案内部３は右下方向に傾斜させて連続形成した螺旋形状として渦巻き水流を発生させても良い。
【００１２】
図２においては深型ヘアキャッチャー１の上部位置に水向案内部３を配置した例を示した。排水溝内の別部材として形成しているが、深型ヘアキャッチャー１の縁部に一体形成あるいは着脱可能に形成しても良い。
【００１３】
図３においては水向案内部３を部品化した例を示した。平面図とＣ−Ｃ断面図はリング状部材の内側に水向案内部３を形成した例で漏斗型封水筒２上に設置する。左下に示した側面図は深型ヘアキャッチャー１の横側に水向案内部３を一体形成あるいは着脱可能に形成した例である。右下に示した平面図は排水溝全体平面図であり、水向案内部３により流水口を制限して水路の様に導水して排水溝から渦巻き水流を発生させる方法であるが面積は広くなる。
【００１４】
図４においては水向案内部３をスクリュー形状として深型ヘアキャッチャー１の下部分と共に回転する様にした例の断面図である。この場合嵌め込み部にボールベアリング等を用いれば回転をスムーズにすることができる。深型ヘアキャッチャー１の底部等に洗濯機水槽の底部に形成される様な突起形状を形成すればかくはん力を高めることができる。深型ヘアキャッチャー１全体が回転する様にしても良い。スクリュー形状の水向案内部３は深型ヘアキャッチャー１の横側に形成しても良い。スクリュー形状の水向案内部３を独立させて単独で回転する様にしても良い。
【図面の簡単な説明】
【００１５】
【図１】本発明に係る渦巻き排水口（下部位置水向案内部）の平面図とＡ−Ａ断面図である。
【図２】本発明に係る渦巻き排水口（上部位置水向案内部）の平面図とＢ−Ｂ断面図である。
【図３】本発明に係る渦巻き排水口の部品化例図と排水溝全体平面図である。
【図４】本発明に係る渦巻き排水口の水向案内部をスクリュー形状とした例の断面図である。
【符号の説明】
【００１６】
１  深型ヘアキャッチャー
２  漏斗型封水筒
３  水向案内部
４  排水量調節部品
【図１】
2007198130.tif 000003
【図２】
2007198130.tif 000004
【図３】
2007198130.tif 000005
【図４】
2007198130.tif 000006
(57)【要約】      （修正有）【課題】本願発明は、単位部材を連結して貯留空間を構成した雨水貯留浸透施設の基礎面に傾斜を設ける方法の提供。【解決手段】単位部材を連結しながら貯留空間を地下に構成し、当該貯留空間をシートで覆い水の貯留空間とした貯留浸透施設において、当該施設の基礎部に台形状の部材1を間隔を設け平行に敷き設し、当該台形状部材の上に単位部材2を配設し、台形状部材の間にモルタルあるいはコンクリートを傾斜を設けて打設し、貯留空間内に流入する砂泥を傾斜面3下部に集積させることを特徴とする傾斜基礎面を有する貯留浸透施設である。【選択図】図１
2007198043.tif 000002
【特許請求の範囲】
【請求項１】
単位部材を連結しながら貯留空間を地下に構成し、当該貯留空間をシートで覆い水の貯留空間とした貯留浸透施設において、当該施設の基礎部に台形状の部材を平行に間隔を設け敷き設し、当該台形状部材の上に単位部材を配設し、台形状部材の間にモルタルあるいはコンクリートを打設し傾斜を設けて、貯留空間内に流入する砂泥を傾斜面下部に集積させることを特徴とする傾斜基礎面を有する貯留浸透施設。
【発明の詳細な説明】
【技術分野】
【０００１】
本発明は、単位部材を連結した水の貯留浸透施設の技術に属する。
【背景技術】
【０００２】
雨水の流出抑制を目的として、プラスチックなどで製造されたテーブル状、容器状あるいはパイプ状部材などの単位部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も部材を地下に配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。
【０００３】
これら雨水の貯留浸透施設は、屋根雨水のみを貯留する場合は雨水中に含まれる砂泥分は極めて少なく、そのまま貯留空間内に堆積してもその貯留機能を大きく損なうことはない。しかしながら、U字溝を介して流入する雨水を貯留する場合は雨水中に含まれる砂泥分はきわめて大きい。そのまま貯留空間内に堆積させると貯留空間の容積を減少させ、貯留浸透施設の機能を損なう可能性がある。貯留空間に堆積した差泥分を除去するため特開2002-129640には貯留空間の基礎部に傾斜を設け、差泥分を最下層部に集め排出する方法が開示されている。単位部材を用いた貯留空間の基礎部にかかる傾斜面を形成することは手間と時間がかかり効率的ではなかった。
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開2002-129640
【発明の開示】
【発明が解決しようとする課題】
【０００５】
本願発明は、単位部材を連結して貯留空間を構成した雨水貯留浸透施設の基礎面に傾斜を設ける方法の提案にある。
【課題を解決するための手段】
【０００６】
本発明は、単位部材を連結しながら貯留空間を地下に構成し、当該貯留空間をシートで覆い水の貯留空間とした貯留浸透施設において、当該施設の基礎面に台形状の部材を平行に間隔を設け敷き設し、当該台形状部材の上に単位部材を配設し、台形状部材の間にモルタルあるいはコンクリートを打設し傾斜を設けて、貯留空間内に流入する砂泥を傾斜面下部に集積させることを特徴とする傾斜基礎面を有する貯留浸透施設である。傾斜面の形成作業を簡易化するため、傾斜面を形成する場所と単位部材を分離し、単利部材の配置前にコンクリートの打設を可能とした。
【発明の効果】
【０００７】
基礎面に台形状の部材を平行に間隔を設け敷き設し、その台形状の部材間に傾斜面を設けてモルタルあるいはコンクリートを打設するため作業が簡単になる。
【発明を実施するための最良の形態】
【０００８】
以下、本発明を、図を用いて、より詳細に説明する。
図１は、本発明を貯留浸透施設の空間部の概念図である。図1ａは断面図であり、図1ｂはＡ−Ａでの断面図である。
【０００９】
図１に示したように、貯留浸透施設はその基礎面に逆Ｕ字形の台形状部材が平行に間隔をあけて配設され、その上に単位部材が組み立て配置されている。台形状部材の間にはハッチングで示した傾斜面が施されている。本傾斜面は略正方形の平面を有する貯留空間の辺と辺との間に平行に等間隔で設けられているが、辺と辺の中心部に向かってそれぞれ低くなるように傾斜を設けてもよい。あるいは中心に向かって高くなるように傾斜が設けてもあるいは平行な台形状部材間で台形状部材に直角方向に設けてもよい。傾斜面は、台形状部材を配設した後、単位部材の組み立て前に設けることができるため極めて容易に必要な傾斜面が得られる。
【００１０】
図２に示すように、傾斜面の最下部にＵ字溝を設け、集積した砂泥を排出するようにすることが好ましい。
【００１１】
台形状部材は、単位部材が安定して配置組み立てられ、間にコンクリートモルタルなどが打設できる隙間を生ずる形状であれば台形、逆Ｕ字形その他の形状でもよい。台形状部材の材質はコンクリート、強化繊維プラスチック、ステンレススチールなど必要な強度が得られ、水に対し安定な材質のものであればよい。
【００１２】
単位部材は、台形状部材の上に安定して配置、組み立てのできるものならその形状は問わない。一般的に雨水の貯留浸透施設用に使用され提案されているものが使用できる。その単位部材の例を図３に示す。
【００１３】
図４に示すように、本貯留部に壁材をめぐらし、適切なシートで覆い、必要に応じて流入管、泥だめます、溢流管、オリフィスますなどを設けて貯留浸透施設と使用することは従来の技術となんら変わるところがない。
【００１４】
単位部材は、その材質は特に限定されないが、水に対する耐性と、必要な強度が得られるものが好ましく、ステンレススチール製あるいは熱可塑性のプラスチックあるいはガラス繊維などで強化されたプラスチック製が使用できる。
【図面の簡単な説明】
【００１５】
【図１】は、 本発明の貯留浸透施設における空間部の概念図である。
【図２】は、本発明の貯留浸透施設における空間部の他の概念図である。
【図３】は、単位部材の例を示す。
【図４】は、本発明の貯留浸透施設として使用する場合の概念図である。
【００１６】
１  台形状部材
２  単位部材
３  傾斜面
４  Ｕ字溝
５  貯留浸透施設
６  シート
【図１】
2007198043.tif 000003
【図２】
2007198043.tif 000004
【図３】
2007198043.tif 000005
【図４】
2007198043.tif 000006
(57)【要約】【課題】片頭痛の治療に有効な種類の化合物、医学的に許容できる程度の副作用しかない片頭痛の治療用化合物を提供し、片頭痛に関連する生化学的経路を確認し且つ片頭痛を阻止、防止または軽減するためのこの経路に作用をする薬物を確認すること。【解決手段】片頭痛を治療するための薬物の製造における、哺乳類においてＧＡＢＡＡレセプターに結合し且つＧＡＢＡＡレセプターの活性を作用薬的に調節するためのニューロステロイドの使用であって、該ニューロステロイドはプロゲステロンではない、使用。【選択図】なし【特許請求の範囲】
【請求項１】
片頭痛を治療するための薬物の製造における、哺乳類においてＧＡＢＡＡレセプターに結合し且つＧＡＢＡＡレセプターの活性を作用薬的に調節するためのニューロステロイドの使用であって、該ニューロステロイドはプロゲステロンではない、使用。
【請求項２】
前記ニューロステロイドが、プロパノール、メチセルジド、三環系抗うつ薬、アスピリン様薬、エルゴタミン、エルゴットアルカロイド、バルプロエート、スマトリプタン、スタドールおよびＣａ＋＋チャンネル遮断薬からなる群から選択される別の抗片頭痛薬と混合して送達される、請求項1に記載の使用。
【請求項３】
ＧＡＢＡＡレセプターに結合し且つＧＡＢＡＡレセプターの活性を作用薬的に調節するニューロステロイドを含む、片頭痛を治療するための医薬製剤であって、該ニューロステロイドはプロゲステロンではない、医薬製剤。
【請求項４】
片頭痛を経験している対象における急性片頭痛を治療するための、請求項３に記載の医薬製剤。
【請求項５】
現在片頭痛を有していない対象における片頭痛の予防処置のための請求項３に記載の医薬製剤。
【発明の詳細な説明】
【背景技術】
【０００１】
【数１−１】
2007291143.tif 000002
【０００２】
【数２−１】
2007291143.tif 000003
【発明の開示】
【課題を解決するための手段】
【０００３】
本発明によって、例えば、以下が提供される。
【０００４】
【数２３】
2007291143.tif 000004
【０００５】
【数２４】
2007291143.tif 000005
【０００６】
【数２５】
2007291143.tif 000006
【０００７】
【数２−２】
2007291143.tif 000007
【０００８】
【数３−１】
2007291143.tif 000008
【０００９】
【数４−１】
2007291143.tif 000009
【００１０】
【数５】
2007291143.tif 000010
【００１１】
【数６】
2007291143.tif 000011
【００１２】
【数７】
2007291143.tif 000012
【００１３】
【数８】
2007291143.tif 000013
【００１４】
【数９】
2007291143.tif 000014
【００１５】
【数１０】
2007291143.tif 000015
【００１６】
【数１１】
2007291143.tif 000016
【００１７】
【数１２】
2007291143.tif 000017
【００１８】
【数１３】
2007291143.tif 000018
【００１９】
【数１４】
2007291143.tif 000019
【００２０】
【数１５】
2007291143.tif 000020
【００２１】
【数１６】
2007291143.tif 000021
【００２２】
【数１７】
2007291143.tif 000022
【００２３】
【数１８】
2007291143.tif 000023
【００２４】
【数１９】
2007291143.tif 000024
【００２５】
【数２０】
2007291143.tif 000025
【００２６】
【数２１】
2007291143.tif 000026
【００２７】
【数２２】
2007291143.tif 000027
【図面の簡単な説明】
【００２８】
【図１】図１は、刺激した動物対刺激していない動物中の血漿蛋白質（［１２５Ｉ］−ＢＳＡ）血管外遊出の比を表す図表である。これらの動物をバルプロ酸ナトリウム単独■、ビククリン（bicuculline）およびバルプロ酸ナトリウム○、またはフアクロフエックおよびバルプロ酸ナトリウム△で処置した。
【図２】図２は、刺激した動物対刺激していない動物中の血漿蛋白質（［１２５Ｉ］−ＢＳＡ）血管外遊出の比を表す図表である。これらの動物をムスシモール（muscimol）■、またはバクロフェン○で処置した。
【図３】図３は、動物の物質Ｐの処置に続いて、バルプロ酸ナトリウ○、またはムスシモール■により阻止した血漿蛋白質血管外遊出の百分率を表す図表である。
【図４】図４は、ビヒクル（vehicle）処置動物（１）、サブスタンスＰ処置動物（２）、サブスタンスＰおよびバルプロ酸ナトリウム処置動物（３）、サブスタンスＰ、バルプロ酸ナトリウムおよびフアクロフエン処置動物（４）、またはサブスタンスＰ、バルプロ酸ナトリウムおよびビククリン処置動物（５）で誘導される血漿蛋白質血管外遊出の百分率を表す図表である。
【図５】図５は、サブスタンスＰ処置動物（１）、サブスタンスＰおよびバルプロ酸ナトリウム（１０ｍｇ／ｋｇ）処置動物（２）、サブスタンスＰおよびバルプロ酸ナトリウム（１００ｍｇ／ｋｇ）処置動物（３）、またはサブスタンスＰ、バルプロ酸ナトリウム（１００ｍｇ／ｋｇ）およびビククリン処置動物（４）で誘導される血漿蛋白質血管外遊出の百分率を表す図表である。
【図１】
2007291143.tif 000028
【図２】
2007291143.tif 000029
【図３】
2007291143.tif 000030
【図４】
2007291143.tif 000031
【図５】
2007291143.tif 000032
(57)【要約】【課題】  過給効率を低下させることなく効率よくＥＧＲガスを還流させることができるＥＧＲ装置を提供する。【解決手段】  ＶＧＴ１を備えた過給エンジン２のエキゾーストマニホールド３を、ＶＧＴ１の排気導入口に集合部を直接接続した主流路５ａ、５ｂと、ＶＧＴ１の排気導入口に可変絞り７ａ、７ｂを介して集合部を接続した副流路６ａ、６ｂに隔成する隔壁４ａを設ける。副流路６ａ、６ｂから分岐して吸気通路に至るＥＧＲ通路８ａ、８ｂを設けたことにより、ＥＧＲ量とＶＧＴ１を独立して制御することができるようにした。【選択図】  図１
2007291931.tif 000002
【特許請求の範囲】
【請求項１】
ＶＧＴ（１）を備えた過給エンジン（２）のエキゾーストマニホールド（３）を、ＶＧＴ（１）の排気導入口に集合部を直接接続した主流路（５ａ）（５ｂ）と、ＶＧＴ（１）の排気導入口に可変絞り（７ａ）（７ｂ）を介して集合部を接続した副流路（６ａ）（６ｂ）に隔成する隔壁（４ａ）を設けるとともに、該副流路（６ａ）（６ｂ）から分岐して吸気通路に至るＥＧＲ通路（８ａ）（８ｂ）を設けたことを特徴とする過給エンジンのＥＧＲ装置。
【発明の詳細な説明】
【技術分野】
【０００１】
本発明はＶＧＴを備えたエンジンのＥＧＲ装置に係り、特に、過給効率を低下させることなく効率よくＥＧＲガスを還流させることにより、煙と燃費の悪化を抑制しつつ排気中のＮＯｘを低減することができるＥＧＲ装置に関するものである。
に関するものである。
【背景技術】
【０００２】
ＶＧＴ(Variable Geometry Turbocharger)を備えたエンジンに排気の一部を吸気系に還流させるＥＧＲを適用するに際して、従来では例えば特許文献１〜３に見られるように、過給圧とＥＧＲ量をそれぞれ独立して制御するようにしたものがある。
【０００３】
しかしながら、いずれの場合であっても、排気中のＮＯｘ量を極限まで減少させるためにはＶＧＴに供給される排気流量を減少させてエキゾーストマニホールド圧を高くする必要性があるために、給気の流量が減少して煙と燃費が悪化するというように、過給効率を低下させることなく効率よくＥＧＲガスを還流させることはきわめて困難であるという不具合があった。
【特許文献１】特開２００３−２１０００号公報
【特許文献１】特開２０００−２４０４８８号公報
【特許文献１】特開２０００−３０３８９６号公報
【発明の開示】
【発明が解決しようとする課題】
【０００４】
解決しようとする問題点は、過給効率を低下させることなく効率よくＥＧＲガスを還流させることができない点である。
【課題を解決するための手段】
【０００５】
本発明は、ＶＧＴを備えた過給エンジンのエキゾーストマニホールドを、ＶＧＴの排気導入口に集合部を直接接続した主流路と、ＶＧＴの排気導入口に可変絞りを介して集合部を接続した副流路に隔成する隔壁を設けるとともに、該副流路から分岐して吸気通路に至るＥＧＲ通路を設けたことを最も主要な特徴としている。
【発明の効果】
【０００６】
本発明に係るＥＧＲ装置においては、エキゾーストマニホールドの副流路の圧力は可変絞りの開度により変化し、ＶＧＴには副流路から可変絞りを通って流れ出た排気と主流路の排気が供給される。従って、ＥＧＲ量に大きな影響を及ぼすエキゾーストマニホールド圧を上昇させることを目的としてＶＧＴへの排気の流入量を抑制する必要性がない。このために、大量ＥＧＲを行わせる場合であってもＶＧＴの効率を低下させる必要性がなく、煙と燃費の悪化を抑制しつつ排気中のＮＯｘを極限まで低減することができる、という利点がある。
【発明を実施するための最良の形態】
【０００７】
図１は本発明に係るＥＧＲ装置の一例を示す要部の概略断面図、図2は図１に示した主流路の平面構造を示す概略断面図、図３は図1に示した副流路の平面構造を示す概略断面図である。
【０００８】
これらの図において、ＶＧＴ１を備えた直列６気筒過給エンジン２のエキゾーストマニホールド３を上下２段に隔成する主隔壁４ａを設けることにより、主隔壁４の下方に主流路５を形成する一方、主隔壁４の上方に副流路６を形成している。
【０００９】
また、主流路５および副流路６にそれぞれ副隔壁４ｂを設けることにより、これら流路５、６をそれぞれ前側の主（副）流路５ａ、６ａと後側の主（副）流路５ｂ、６ｂに隔成し、両主流路５ａ、５ｂの集合部をＶＧＴ１の排気導入口に直接接続するとともに、両副流路６ａ、６ｂの集合部を、可変絞り７ａ、７ｂを介してＶＧＴ１の排気導入口に接続している。
【００１０】
そして、可変絞り７ａ、７ｂより上流側において副流路６ａ、６ｂと図示しないインテークマニホールドをＥＧＲ通路８ａ、８ｂを介して接続することにより、副流路６ａ、６ｂから取り出した排気を燃焼室９に還流させるＥＧＲ装置を構成している。
【００１１】
従って、可変絞り７ａ、７ｂの開度を変化させると、これにともなって副流路６ａ、６ｂの圧力が変化するために、ＥＧＲ量が変化する。このために、従来のようにＶＧＴ１のノズル開度を変化させることなく可変絞り７ａ、７ｂの開度を変化させることでＥＧＲ量を制御することができる。
【００１２】
また、ＶＧＴ１には主流路５ａ、５ｂの排気に加えて可変絞り７ａ、７ｂを通過した副流路６ａ、６ｂの排気が導入されることになり、ＥＧＲ量を制御することを目的としてノズル開度を調整する必要性がない。よって、エンジン２の運転中は効率のよいところでＶＧＴ１を運転し、吸気量の制御のみを目的としてＶＧＴ１のノズル開度を調整すればよいために、ＶＧＴ１の効率を犠牲にすることなくＥＧＲ量を制御することができるために、従来では不可能であるとされていた高過給・多量ＥＧＲを実現することが可能となる。
【００１３】
なお、上記実施形態にあっては、副隔壁４ｂを設けることにより、主流路５ａ、５ｂおよび副流路６ａ、６ｂをともに前後３気筒ごとに隔成して排気脈動を効率的にＶＧＴ１に送り込むことができるようにするとともに、前後の副流路６ａ、６ｂにＥＧＲ通路８ａ、８ｂを接続しているが、主流路５ａ、５ｂおよび副流路６ａ、６ｂを必ずしも前後３気筒ごとに隔成する必要性はなく、単一のＥＧＲ通路を設けたものであってもよい。
【図面の簡単な説明】
【００１４】
【図１】本発明に係るＥＧＲ装置の一例を示す要部の概略断面図である。
【図２】図1に示した主流路の平面構造を示す概略断面図である。
【図３】図1に示した副流路の平面構造を示す概略断面図である。
【符号の説明】
【００１５】
１    ＶＧＴ
２    エンジン
３    エキゾーストマニホールド
４ａ  主隔壁
４ｂ  副隔壁
５ａ、５ｂ  主流路
６ａ、６ｂ  副流路
７ａ、７ｂ  可変絞り
８ａ、８ｂ  ＥＧＲ通路
９    燃焼室
【図１】
2007291931.tif 000003
【図２】
2007291931.tif 000004
【図３】
2007291931.tif 000005